(57)【要約】【課題】複数の撮影モードから選択された撮影モードに応じて共通端子を用いた特定の機能を実現する。【解決手段】デジタルカメラは、共通端子１２と、モードダイヤル１０と、機能設定部１４０とを備える。モードダイヤル１０は、動画撮影モードと静止画撮影モードを含む複数の撮影モードから特定の撮影モードに設定可能とする。機能設定部１４０は、モードダイヤル１０が特定の撮影モードを動画の撮影モードに設定する場合、共通端子１２を使用した第１の機能を実現するように設定し、モードダイヤル１０が特定の撮影モードを静止画の撮影モードに設定する場合、共通端子１２を使用した第２の機能を実現するように設定する。機能設定部１４０は、動画撮影モードでは第２の機能を実現せず、静止画撮影モードでは第１の機能を実現しない。【選択図】図３Ａ
2018164248.tif 000002
【特許請求の範囲】
【請求項１】
共通端子と、
第１の撮影モードと第２の撮影モードとを含む複数の撮影モードから特定の撮影モードに設定可能な撮影モード設定部と、
前記撮影モード設定部が前記特定の撮影モードを前記第１の撮影モードに設定する場合、前記共通端子を使用して第１の機能を実現するが、第２の機能を実現しないように構成され、前記撮影モード設定部が前記特定の撮影モードを前記第２の撮影モードに設定する場合、前記共通端子を使用して前記第２の機能を実現するが、前記第１の機能を実現しないように構成された、機能設定部と、
を備えた撮像装置。
【請求項２】
前記第１の撮影モードは動画の撮影モードであり、
前記第２の撮影モードは静止画の撮影モードであり、
前記撮影モード設定部が前記特定の撮影モードを前記動画の撮影モードに設定する場合、前記機能設定部は、前記共通端子を前記動画の同期信号入力端子及び前記動画の同期信号出力端子の一方として機能させて前記第１の機能を実現し、
前記撮影モード設定部が前記特定の撮影モードを前記静止画の撮影モードに設定する場合、前記機能設定部は、前記共通端子をトリガ信号出力端子として機能させて前記第２の機能を実現する、請求項１記載の撮像装置。
【請求項３】
前記撮影モード設定部が前記特定の撮影モードを前記動画の撮影モードに設定した後であって、前記機能設定部が前記第１の機能を実現する前に、ユーザによる前記第１の機能の設定に関する入力を受け付ける入力部をさらに備える、請求項２に記載の撮像装置。
【請求項４】
前記第１の機能の設定に関する入力には、前記共通端子を前記動画の前記同期信号入力端子及び前記同期信号出力端子のいずれに機能させるかの、ユーザによる選択を含む、請求項３に記載の撮像装置。
【請求項５】
前記撮影モード設定部が前記特定の撮影モードを前記動画の撮影モードに設定した後であって、前記機能設定部が前記第１の機能を実現する前に、ユーザへの警告を報知する報知部をさらに備える、請求項２に記載の撮像装置。
【請求項６】
前記機能設定部は、
前記共通端子と接続され、前記第１の機能を実現する第１回路と、
前記共通端子と接続され、前記第２の機能を実現する第２回路と、
前記共通端子と前記第１回路との接続のＯＮ／ＯＦＦ切り替えを行う切り替え回路と、
前記共通端子と前記切り替え回路との間に接続された保護回路と、
を有する、請求項１に記載の撮像装置。
【発明の詳細な説明】
【技術分野】
【０００１】
本開示は、複数の撮影モードのそれぞれの機能を、共通端子を用いて実現する撮像装置に関する。
【背景技術】
【０００２】
従来、一般的に端子を共通化することで部品点数を削減した端子共通化技術が知られている（例えば特許文献１参照）。
【０００３】
特許文献１は、外部装置と接続するコネクタを共通化し、単一のコネクタを使用する撮像装置を開示する。
【先行技術文献】
【特許文献】
【０００４】
【特許文献１】特開２００９−９４６６３号公報
【発明の概要】
【発明が解決しようとする課題】
【０００５】
本開示は、複数の撮影モードのそれぞれで利用する機能を、共通端子を用いて実現する撮像装置を提供することを目的とする。
【課題を解決するための手段】
【０００６】
本開示は、共通端子と、撮影モード設定部と、機能設定部とを備える撮像装置である。前記撮影モード設定部は、第１の撮影モードと第２の撮影モードとを含む複数の撮影モードから特定の撮影モードに設定可能とする。前記機能設定部は、前記撮影モード設定部が前記特定の撮影モードを前記第１の撮影モードに設定する場合、前記共通端子を使用して第１の機能を実現するが、第２の機能を実現しないように構成される。また前記機能設定部は、前記撮影モード設定部が前記特定の撮影モードを前記第２の撮影モードに設定する場合、前記共通端子を使用して前記第２の機能を実現するが、前記第１の機能を実現しないように構成される。
【発明の効果】
【０００７】
本開示の撮像装置によれば、複数の撮影モードのそれぞれで利用する機能を、共通端子を用いて実現出来る。
【図面の簡単な説明】
【０００８】
【図１Ａ】図１Ａは、実施の形態１にかかるデジタルカメラの外観図である。
【図１Ｂ】図１Ｂは、実施の形態１にかかるデジタルカメラの外観図である。
【図２】図２は、実施の形態１にかかるデジタルカメラの構成を示す図である。
【図３Ａ】図３Ａは、切替処理部を含む要部の電気的構成を示すブロック図である。
【図３Ｂ】図３Ｂは、切替処理部を含む要部の回路図である。
【図４】図４は、実施の形態１にかかるデジタルカメラの共通端子に対する端子の割付方法を示すフローチャートである。
【図５】図５は、撮影モードに対する共通端子の割付を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面及び以下の説明を提供するのであって、これらによって特許請求の範囲に記載の主題を限定することを意図するものではない。
【００１１】
（実施の形態１）
以下、図面を用いて、実施の形態１を説明する。実施の形態１では、撮像装置の一例としてデジタルカメラを挙げる。デジタルカメラには、外部装置としてストロボを接続できる。ストロボとの接続のため、デジタルカメラには、従来から、いわゆるストロボシンクロ端子（ＳＹＮＣ端子）が配置されることがある。本実施の形態では、ストロボを利用しない撮影モード（例えば動画の撮影モード）の際に、ストロボシンクロ端子をＴＣ（Ｔｉｍｅ  Ｃｏｄｅ）端子などの他の端子として利用できる。すなわちストロボを利用しない撮影モード（例えば動画の撮影モード）の際に、ストロボシンクロ端子にＴＣ関連装置（ＴＣジェネレータ又は撮像装置）などのストロボ以外の外部装置を接続できる。
【００１２】
なお、ストロボシンクロ端子は、フラッシュを発光させるタイミングの信号を出力する端子である。ストロボシンクロ端子は、本開示のトリガ信号出力端子に相当する。またＴＣ端子は、タイムコード信号を出力又は入力する端子である。タイムコード信号とは、複数の撮像装置で撮影された映像と撮影時刻とを対応づけるための信号である。デジタルカメラは、タイムコード信号に基づいて、ＴＣジェネレータ又は他の撮像装置と同期をとる。これにより、複数の撮像装置により撮影された映像どうしの撮影時刻を合わせることができる。
【００１３】
［１−１．外観］
図１Ａ及び図１Ｂは、実施の形態１に係るデジタルカメラの外観図である。図１Ａは、前面図であり、図１Ｂは上面図である。
【００１４】
本実施の形態に係るデジタルカメラ１００は、レンズ交換式のデジタルカメラであって、マウント１５に様々な種類の交換レンズを取り付けて撮影を楽しむことができる。マウント１５の内周の一部には、複数の電気接点１６が円弧状に設けられている。交換レンズがマウント１５に取り付けられると、電気接点１６を介して、デジタルカメラと交換レンズの通信が可能になる。デジタルカメラ１００は、交換レンズから交換レンズ固有の情報を取得するとともに、撮影条件に応じて、交換レンズの動作を制御する。レンズ取り外しボタン１７を押しながら、交換レンズを回転させると、交換レンズをマウント１５から取り外すことができる。
【００１５】
デジタルカメラ１００は、いわゆる一眼レフ方式のデジタルカメラではない。したがってデジタルカメラ１００は、交換レンズからの入射光を撮像素子又は光学ビューファインダーのいずれに導くかを切り換える可動式ミラーを備えない。したがって、マウント１５の内部にあるＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサで構成される撮像素子１４は、デジタルカメラ１００の被写体側から直視され得る。ただし、撮像素子１４の前面には、付着した塵埃を除去するための超音波フィルター及び入射光の高周波成分を除去するための光学ローパスフィルターが配されている。
【００１６】
デジタルカメラ１００の上面には、撮影を指示するためのシャッターボタン１３、撮影に関する各種設定を行うためのモードダイヤル１０（撮影モード設定部）及びドライブモードダイヤル１１等の操作部材が配されている。ユーザはモードダイヤル１０およびドライブモードダイヤル１１等を用いて、特定のモードを選択できる。具体的には、ユーザはモードダイヤル１０によってデジタルカメラ１００が決めた絞り値とシャッタースピードで撮影するプログラムＡＥ（Ａｕｔｏ  Ｅｘｐｏｓｕｒｅ）モード、ユーザが絞り値を決めて撮影する絞り優先ＡＥモード、ユーザがシャッタースピードを決めて撮影するシャッタースピード優先ＡＥモード、ユーザが絞り値とシャッタースピードを決めて撮影するマニュアル露出モード、ユーザが絞り値とシャッタースピードを決めて動画を撮影するクリエイティブ動画モードなどから特定の撮影モードを選択できる。またユーザはドライブモードダイヤル１１によって単写モード、連写モード、オートブラケットモードなどを選択できる。
【００１７】
また、デジタルカメラの上面には、発光量の大きい外部ストロボ装置等を取り付けることができるホットシュー１８が設けられている。ホットシュー１８の使用前には、ホットシューカバーが取り付けられている。
【００１８】
またデジタルカメラ１００の上面の傾斜部には撮影モードに応じてＴＣ（Ｔｉｍｅ  ｃｏｄｅ）‐ＩＮ端子、ＴＣ‐ＯＵＴ端子及びストロボシンクロ端子として使用される共通端子１２が設けられている。ＴＣ−ＩＮ端子は、本開示の同期信号入力端子に相当する。ＴＣ−ＯＵＴ端子は、本開示の同期信号出力端子に相当する。共通端子１２が使用されていないときは、共通端子１２にはキャップが取り付けられている。
【００１９】
共通端子１２をストロボシンクロ端子として使用する場合、デジタルカメラ１００とストロボとは、共通端子１２に取り付けられたシンクロケーブルを介して接続される。これによりストロボは、シャッターボタン１３の押下に同調して発光する。
【００２０】
共通端子１２をＴＣ‐ＩＮ端子又はＴＣ‐ＯＵＴ端子として使用する場合、デジタルカメラ１００とＴＣ関連装置とは、共通端子１２に取り付けられたＳＹＮＣ−ＢＮＣ変換同軸ケーブルを介して接続される。ＴＣ関連装置とは、ＴＣジェネレータ又は他の撮像装置などである。ＳＹＮＣ−ＢＮＣ変換同軸ケーブルとは、ストロボシンクロ端子のＪＩＳ規格に準拠したインタフェースと、ＴＣ‐ＩＮ端子又はＴＣ‐ＯＵＴ端子のＪＩＳ規格に準拠したインタフェースとを合わせるケーブルである。なお、ストロボシンクロ端子のＪＩＳ規格は、ＪＩＳＢ７１０１又はＪＩＳＢ７１０２に定められる。ＴＣ‐ＩＮ端子又はＴＣ‐ＯＵＴ端子のＪＩＳ規格は、ＪＩＳＣ５４１２に定められる。
【００２１】
さらに共通端子１２をＴＣ‐ＩＮ端子として使用する場合、共通端子１２から外部同期信号（タイムコード信号）を入力出来る。そしてデジタルカメラ１００が撮影した映像を、入力した外部同期信号に同期させることができる。これにより、一つ又は複数のデジタルカメラ１００は、たとえばＴＣジェネレータのようなメイン機器のタイムコード信号を基準信号として、互いの映像の同期を取ることができる。
【００２２】
また共通端子１２をＴＣ‐ＯＵＴ端子として使用する場合、外部同期信号（タイムコード信号）を共通端子１２から出力出来る。そして他のデジタルカメラ１００の映像を出力された外部同期信号に同期させることができる。すなわち、複数のデジタルカメラ１００は、タイムコード信号を基準信号として互いの映像の同期を取ることができる。なお、タイムコード信号とは、例えば、動画フレーム周期と同じ周期を持つデジタル信号であり、その内容は、「時」、「分」、「秒」、及び「フレーム数」など複数の情報を含む形式として定められている。
【００２３】
デジタルカメラ１００の背面には、可動式モニターが配されている。可動式モニターには、液晶モニター等の平面ディスプレイが採用される。可動式モニターには、撮像素子１４に結像した入射光に基づく画像が表示される。
【００２４】
デジタルカメラ１００は、可動式モニターに加えて、電子ビューファインダー１９を備える。デジタルカメラ１００の背面には、十字キーを含む各種操作ボタン及び操作ダイヤル等の操作部材が配されている。これらの操作部材によって、ユーザは、撮影、再生等の詳細設定を行うことができる。デジタルカメラの前面から見て左側面には、メモリカードを挿入することができるスロットが設けられている。このスロットは、カバーによって隠蔽されている。
【００２５】
［１−２．構成］
［１−２−１．全体構成］
図２は、実施の形態１に係るデジタルカメラ１００の構成を示す図である。デジタルカメラ１００は、被写体を撮像して画像データ（静止画、動画）を生成して記録媒体に記録する。デジタルカメラ１００は、カメラボディ１０２と、カメラボディ１０２に装着される交換レンズ３０１とで構成される。デジタルカメラ１００は、動画の撮影中、音声も入力し、画像データとともに音声データを記録媒体に記録することができる。
【００２６】
［１−２−２．交換レンズの構成］
交換レンズ３０１は、フォーカスレンズ３１０、補正レンズ３１８及びズームレンズ３１２を含む光学系を有する。交換レンズ３０１はさらに、レンズコントローラ３２０、レンズマウント３３０、フォーカスレンズ駆動部３１１、ズームレンズ駆動部３１３、絞り３１６、絞り駆動部３１７、操作リング３１５、Ｏｐｔｉｃａｌ  Ｉｍａｇｅ  Ｓｔａｂｉｌｉｚｅｒ：ＯＩＳ駆動部３１９、Ｄｙｎａｍｉｃ  Ｒａｎｄｏｍ  Ａｃｃｅｓｓ  Ｍｅｍｏｒｙ：ＤＲＡＭ３２１及びフラッシュメモリ３２２等を備えている。
【００２７】
レンズコントローラ３２０は、交換レンズ３０１全体の動作を制御する。レンズコントローラ３２０は、操作リング３１５のユーザによる操作を受け付けて、ズームレンズ３１２を駆動させるよう、ズームレンズ駆動部３１３を制御することができる。レンズコントローラ３２０は、フォーカスレンズ３１０、補正レンズ３１８及び絞り３１６を駆動させるように、フォーカスレンズ駆動部３１１、ＯＩＳ駆動部３１９及び絞り駆動部３１７をそれぞれ制御することができる。
【００２８】
ＯＩＳ駆動部３１９は、例えば、マグネットと平板コイルとで構成される駆動機構を備える。ＯＩＳ駆動部３１９は、交換レンズ３０１のぶれを検出するジャイロセンサの検出信号に基づき駆動機構を制御して、交換レンズ３０１のぶれに応じて光学系の光軸に垂直な面内で補正レンズ３１８をシフトさせる。これにより、撮像画像中における手振れによるぶれの影響を低減する。
【００２９】
レンズコントローラ３２０は、ＤＲＡＭ３２１及びフラッシュメモリ３２２に接続されており、必要に応じてそれらのメモリに情報を書き込んだり、読み出したりすることができる。また、レンズコントローラ３２０は、レンズマウント３３０を介して、コントローラ１３０と通信することができる。尚、レンズコントローラ３２０は、ハードワイヤードな電子回路で構成されてもよいし、プログラムを用いたマイクロコンピュータなどで構成されてもよい。
【００３０】
レンズマウント３３０は、カメラボディ１０２のボディマウント３４０と接続され、交換レンズ３０１とカメラボディ１０２とを、機械的かつ電気的に接続する。交換レンズ３０１とカメラボディ１０２とが接続されると、レンズコントローラ３２０と、コントローラ１３０とは通信可能な状態となる。ボディマウント３４０は、図１Ａのマウント１５に相当し、レンズマウント３３０を介してレンズコントローラ３２０から受信した信号をカメラボディ１０２のコントローラ１３０に送信することができる。
【００３１】
［１−２−３．カメラボディの構成］
カメラボディ１０２は、ＣＭＯＳイメージセンサ１４３及びＡＦＥ（アナログ・フロント・エンド）１４４を含む。
【００３２】
ＣＭＯＳイメージセンサ１４３は、図１Ａの撮像素子１４に相当し、交換レンズ３０１を通して形成された被写体像を撮像して画像情報を生成する。なお、画像センサとして他の種類の画像センサ（例えば、Ｃｈａｒｇｅ  Ｃｏｕｐｌｅｄ  Ｄｅｖｉｃｅ：ＣＣＤイメージセンサ）を用いてもよい。
【００３３】
ＡＦＥ１４４は、ＣＭＯＳイメージセンサ１４３から読み出した画像情報に対して相関二重サンプリングによる雑音抑圧、アナログゲインコントローラによるＡ／Ｄ（アナログ／デジタル）変換器の入力レンジ幅への増幅、及びＡ／Ｄ変換器によるＡ／Ｄ変換を実施する。
【００３４】
アナログ音声処理部１１５は、アナログ音声信号に所定の信号処理を施す。アナログ音声処理部１１５は、処理したアナログ音声信号をＡ／Ｄ変換器によりデジタル音声信号に変換し、デジタル音声信号をデジタル画像・音声処理部１２０に出力する。アナログ音声処理部１１５は音声信号処理装置の一例である。アナログ音声処理部１１５は、アナログ回路を含む電子回路で構成され、１つ又は複数の半導体集積回路で構成される。アナログ音声処理部１１５は、自動レベル制御（Ａｕｔｏｍａｔｉｃ  Ｌｅｖｅｌ  Ｃｏｎｔｒｏｌ：ＡＬＣ）機能を有する。自動レベル制御機能は、入力したアナログ音声信号のレベルによらず、出力するデジタル音声信号のレベルが予め定められた上限閾値を超えないようにゲインを自動的に調整する機能である。
【００３５】
デジタル画像・音声処理部１２０は、ＡＦＥ１４４から出力された画像情報及びアナログ音声処理部１１５から出力された音声信号に対して各種の処理を施す。例えば、デジタル画像・音声処理部１２０は、コントローラ１３０からの指示に従って、画像情報に対してガンマ補正、ホワイトバランス補正、傷補正、及び符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現されてもよいし、プログラムを実行するマイクロコンピュータなどで実現されてもよい。デジタル画像・音声処理部１２０は、コントローラ１３０などと一体的に１つの半導体チップとして実現してもよい。例えば、デジタル画像・音声処理部１２０は、ＣＰＵ（Ｃｅｎｔｒａｌ  Ｐｒｏｃｅｓｓｉｎｇ  Ｕｎｉｔ）、ＦＰＧＡ（Ｆｉｅｌｄ‐Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又はＤＳＰ（Ｄｉｇｉｔａｌ  Ｓｉｇｎａｌ  Ｐｒｏｃｅｓｓｏｒ）等で構成できる。
【００３６】
デジタル画像・音声処理部１２０は、音声入力部の出力である音声信号を演算処理して、指向性合成処理や雑音抑圧処理を行う。デジタル画像・音声処理部１２０を実現する回路は、１つ又は複数の半導体集積回路に集積されてもよい。
【００３７】
表示部１９０は、デジタルカメラ１００の背面に配置される。表示部１９０は、液晶ディスプレイや有機ＥＬ（Ｅｌｅｃｔｒｏ  Ｌｕｍｉｎｅｓｃｅｎｃｅ）ディスプレイで構成することができる。表示部１９０は、デジタル画像・音声処理部１２０にて処理された画像情報に基づく画像を表示する。
【００３８】
コントローラ１３０は、デジタルカメラ１００全体の動作を統括制御する。コントローラ１３０は、ハードワイヤードな電子回路で実現されてもよいし、プログラムを実行するマイクロコンピュータなどで実現されてもよい。また、コントローラ１３０は、デジタル画像・音声処理部１２０などと一体的に１つの半導体チップとして実現されてもよい。また、Ｒｅａｄ  Ｏｎｌｙ  Ｍｅｍｏｒｙ：ＲＯＭ１７０は、コントローラ１３０の外部に（コントローラ１３０とは別体として）存在している必要はなく、コントローラ１３０の内部に組み込まれていてもよい。例えば、コントローラ１３０は、ＣＰＵ、ＦＰＧＡ、ＡＳＩＣ、ＤＳＰ等で構成される。
【００３９】
ＲＯＭ１７０は、コントローラ１３０が実行するための、オートフォーカス制御（Ａｕｔｏｍａｔｉｃ  Ｆｏｃｕｓ：ＡＦ制御）、自動露出制御（Ａｕｔｏｍａｔｉｃ  Ｅｘｐｏｓｕｒｅ：ＡＥ制御）、及びストロボの発光制御などに関するプログラムの他、デジタルカメラ１００全体の動作を統括制御するためのプログラムを格納している。ＲＯＭ１７０は、デジタルカメラ１００に関する各種条件及び設定を記憶する。なお、実施の形態１では、ＲＯＭ１７０は、フラッシュＲＯＭである。
【００４０】
Ｒａｎｄｏｍ  Ａｃｃｅｓｓ  Ｍｅｍｏｒｙ：ＲＡＭ１５０は、デジタル画像・音声処理部１２０及びコントローラ１３０のワークメモリとして機能する。ＲＡＭ１５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）又はフラッシュメモリなどで実現できる。ＲＡＭ１５０は、画像情報及び音声信号などを記録するための内部メモリとしても機能する。
【００４１】
外部記憶媒体１６０は、内部にフラッシュメモリ等の不揮発性の記憶素子を備えたメモリデバイスである。外部記憶媒体１６０はカメラボディ１０２に対して着脱可能である。外部記憶媒体１６０は、コントローラ１３０の制御にしたがい、デジタル画像・音声処理部１２０で処理される画像及び音声のデータを記録する。
【００４２】
操作部１８０は、デジタルカメラ１００の外装に配置される操作釦や操作ダイヤルなどの操作インタフェースの総称である。操作部１８０は、ユーザによる操作を受け付ける。例えば、操作部１８０は、デジタルカメラ１００の上面に設けられたシャッターボタン１３、電源スイッチ、モードダイヤル１０、ドライブモードダイヤル１１、デジタルカメラ１００の背面に設けられた中央釦、十字釦及びタッチパネル２０などの少なくとも一つを含む。操作部１８０は、ユーザによる操作を受け付けると、コントローラ１３０に種々の動作を指示する信号を通知する。なお、タッチパネル２０は、本開示の入力部に相当する。本実施の形態では、タッチパネル２０は表示部１９０と一体に配置されている。
【００４３】
共通端子１２は、切替処理部１１０を介してコントローラ１３０と種々の信号のやり取りを行う。
【００４４】
切替処理部１１０は、撮影モードの切り替えを実行する。切替処理部１１０の詳細については後述する。
【００４５】
また、カメラボディ１０２は、カメラボディ１０２のぶれに応じてＣＭＯＳ１４３をシフトさせることで、撮像画像中における、手振れによるぶれの影響を低減する。この機能を実現する構成として、カメラボディ１０２は、カメラボディ１０２のぶれに基づきＣＭＯＳ１４３を移動させるＢｏｄｙ  Ｉｍａｇｅ  Ｓｔａｂｉｌｉｚｅｒ：ＢＩＳ駆動部１８１を備える。ＢＩＳ駆動部１８１は、例えば、マグネットと平板コイルとで構成される駆動機構を含む。ＢＩＳ駆動部１８１は、ジャイロセンサ及び位置センサからの信号に基づき駆動機構を制御して、カメラボディ１０２のぶれを相殺するようにＣＭＯＳ１４３を光軸に垂直な面内でシフトさせる。
【００４６】
［１−２−４．切替処理部等の構成］
図３Ａは、切替処理部１１０を含む要部の電気的構成を示すブロック図である。図３Ｂは、切替処理部１１０を含む要部の回路図である。
【００４７】
図３Ａに示す機能設定部１４０は、切替処理部１１０とコントローラ１３０とから構成されている。機能設定部１４０は、第１回路としてのＴＣ回路１５１と、第２回路としてのストロボ発光回路１５２と、スイッチ回路１１１と、第１保護回路１５３と、第２保護回路１５４と、を含む。
【００４８】
ＴＣ回路１５１は、共通端子１２と接続され、第１の機能であるタイムコード信号の入力又は出力を実現する。ＴＣ回路１５１は、ＦＰＧＡ（Ｆｉｅｌｄ−Ｐｒｏｇｒａｍｍａｂｌｅ  Ｇａｔｅ  Ａｒｒａｙ）１１３と、発振器１１４と、コントローラ１３０とを含む。
【００４９】
コントローラ１３０は、発振器１１４から出力されたクロック信号に基づいて、デジタルカメラ１００に配置された時計を駆動する。またコントローラ１３０は、発振器１１４が出力するクロック信号の周波数を増減させたり、クロック信号の精度を調整したりすることができる。なおコントローラ１３０は、タイムコード信号そのものを出力することはできない。ＦＰＧＡ１１３は、コントローラ１３０が出力する信号を、タイムコード信号として定められた形式になるようにエンコードする。また、コントローラ１３０は、タイムコード信号をそのまま読み取ることはできない。ＦＰＧＡ１１３は、コントローラ１３０が読み取ることができる形式にタイムコード信号をデコードする。
【００５０】
発振器１１４は、コントローラ１３０が予め設定した条件に基づき、所定の周波数の信号（クロック信号）を出力する。発振器１１４の出力信号は、例えば、コントローラ１３０及びＦＰＧＡ１１３が動画記録時に必要とする時間条件や同期条件の基礎となる情報を与える。コントローラ１３０又はＦＰＧＡ１１３が、発振器１１４の出力信号をそのまま受け入れられない場合には、発振器１１４とコントローラ１３０との間に、又は、発振器１１４とＦＰＧＡ１１３との間に、ＰＬＬ（ＰＨＡＳＥ  ＬＯＣＫＥＤ  ＬＯＯＰ）を配置しても良い。
【００５１】
ストロボ発光回路１５２は、共通端子１２と接続され、第２の機能を実現する。第２の機能とは、たとえばストロボを発光させるトリガとなる信号を出力する機能である。ストロボ発光回路１５２は、ストロボＯＮ／ＯＦＦ‐ＳＷ回路１１２と、コントローラ１３０とを含む。
【００５２】
ストロボＯＮ／ＯＦＦ‐ＳＷ回路１１２は、ＭＯＳ−ＦＥＴ又はトランジスタなどのスイッチング素子で実現されてもよいが、本実施の形態では、接続のＯＮ／ＯＦＦ切り替えを実現できるようにインピーダンスが設計された回路を指す。具体的には、ストロボＯＮ／ＯＦＦ‐ＳＷ回路１１２は、シャッターボタン（図１Ａおよび図１Ｂに示すシャッターボタン１３）が押下げられていない間は、充分にハイインピーダンスになるように設定されている。したがって、シャッターボタンが押されていないときは、ストロボ発光回路１５２と共通端子１２との接続はＯＦＦになる。一方で、シャッターボタンが押下される間は、ストロボＯＮ／ＯＦＦ‐ＳＷ回路１１２は、ローインピーダンスになるように設定されている。したがって、シャッターボタンが押下されると、スイッチ回路１１１の接続状態に応じて、ストロボ発光回路１５２と共通端子１２との接続がＯＮになる。具体的には、スイッチ回路１１１がＯＦＦのときは、ストロボＯＮ／ＯＦＦ‐ＳＷ回路１１２が共通端子１２と導通する。スイッチ回路１１１がＯＮのときは、ストロボＯＮ／ＯＦＦ‐ＳＷ回路１１２は共通端子１２と導通しない。
【００５３】
スイッチ回路１１１は、共通端子１２とＴＣ回路１５１との接続のＯＮ／ＯＦＦ切り替えを行う切り替え回路である。スイッチ回路１１１は、具体的には、図３Ｂに示すように、ＭＯＳ−ＦＥＴリレー回路である。
【００５４】
第１保護回路１５３は、共通端子１２とスイッチ回路１１１との間に接続される。第１保護回路１５３は、本開示の保護回路に相当する。第１保護回路１５３は、具体的には、抵抗とコイルとコンデンサが直列に接続されたＲＬＣフィルタである。コンデンサはグランドに接続され、過渡的な過電流をグランドへ落とす。ここで、共通端子１２を介して接続されるストロボは、コンデンサを有する。ストロボは、コンデンサに蓄積された電流を一気に放出することでフラッシュを発光させる。したがって、ユーザがＴＣ回路１５１への接続を設定しているにも関わらず、共通端子１２にストロボを接続してしまった場合、ストロボからスイッチ回路１１１へ一時的に大電流が放出されることがある。このような場合に、第１保護回路１５３は過渡的な過電流をグランドへ放出し、スイッチ回路１１１への影響を抑制する。
【００５５】
第２保護回路１５４は、スイッチ回路１１１とＴＣ回路１５１との間に接続される。第２保護回路１５４は、具体的には、図３Ｂに示すように、ツェナーダイオードなどで実現される。ＴＣ回路１５１へ印加される電圧を一定に保つ。
【００５６】
［１−３．動作］
次に、実施の形態１に係るデジタルカメラの共通端子１２に対する端子の割付方法を説明する。図４は実施の形態１に係るデジタルカメラの共通端子に対する端子の割付方法を示すフローチャートである。
【００５７】
図４においてステップＳ４１では、ユーザは、操作部１８０のモードダイヤル１０を用いてプログラムＡＥモード、絞り優先ＡＥモード、シャッタースピード優先ＡＥモード、マニュアル露出モード及びクリエイティブ動画モードなどから特定の撮影モードを選択する。プログラムＡＥモード、絞り優先ＡＥモード、シャッタースピード優先ＡＥモード及びマニュアル露出モードは、いずれも本開示の静止画の撮影モードである。クリエイティブ動画モードは本開示の動画の撮影モードである。
【００５８】
ステップＳ４２では、コントローラ１３０はモードダイヤル１０の状態を判定する。コントローラ１３０は第１の撮影モード（本実施の形態では、動画の撮影モード）であると判断すれば、ステップＳ４２Ａに移行する。ステップＳ４２において、コントローラ１３０は動画の撮影モードではない、つまり静止画の撮影モードであると判断すれば、ステップＳ４４に移行する。
【００５９】
ステップＳ４２Ａでは、コントローラ１３０は、表示部１９０に、ＴＣ回路１５１の接続を設定するメニューを表示させる。ＴＣ回路の接続を設定するメニューとは、ＴＣ回路１５１に接続することをユーザに選択させるメニュー、及びＴＣ回路１５１への接続を開始することをユーザに選択させるメニュー等である。ＴＣ回路の接続を設定するメニューとは、ＴＣ回路の設定に関するメニューの一例である。
【００６０】
たとえばステップＳ４２Ａでは、まず、ユーザは、表示部１９０と一体のタッチパネル２０を介して、ＴＣ回路１５１に接続するかどうかを選択する。ユーザが接続を選択すると、さらに、ユーザは、タッチパネル２０を介して、接続を開始するかどうかを選択する。ステップＳ４２ＡでユーザがＴＣ回路１５１へ接続することを選択しなかった場合、又はユーザが接続を開始することを選択しなかった場合、ステップＳ４２に戻る。本実施の形態では、ユーザがＴＣ回路１５１へ接続することを選択し、さらに接続を開始することを選択した場合、ＴＣ回路１５１への接続が設定される。このようにＴＣ回路１５１への接続を設定するステップを二段階に分けることで、ユーザの誤動作を抑制する。
【００６１】
ステップＳ４２Ｂでは、コントローラ１３０は、表示部１９０に、共通端子１２をＴＣ−ＯＵＴ端子として機能させるか、ＴＣ−ＩＮ端子として機能させるかをユーザに選択させるメニューを表示する。この選択メニューも、ＴＣ回路の設定に関するメニューの一例である。なお、この選択メニューでは、デジタルカメラ１００がタイムコード信号を出力する側であるか、入力する側であるかを選択できればよい。ユーザは、表示部１９０と一体のタッチパネル２０を介して、ＴＣ−ＯＵＴ端子としての機能及びＴＣ−ＩＮ端子としての機能の何れか一方を選択する。
【００６２】
ステップＳ４２ＢでユーザがＴＣ−ＯＵＴ端子としての機能を選択した場合、ステップＳ４２Ｃへ進む。またユーザがＴＣ−ＩＮ端子としての機能を選択した場合、ステップＳ４２Ｄへ進む。
【００６３】
Ｓ４２Ｃ及びステップＳ４２Ｄでは、コントローラ１３０は、報知部にユーザへの警告を報知させる。報知部とは、例えば表示部１９０である。警告とは、ユーザに対し、共通端子１２にストロボを接続しないように注意喚起する警告である。表示部１９０は、「共通端子にストロボを接続しないで下さい」などの文字を表示する。なお、報知部はスピーカであってもよい。この場合、ユーザに対して音声で警告できる。
【００６４】
ステップＳ４２Ｃで警告を行った後、所定の時間が経過すると、図３Ｂに示すスイッチＳ１はオフとなる。これによりフォトトランジスタが発光し、スイッチ回路１１１がオンとなる。このようにコントローラ１３０は、スイッチ回路１１１を制御して、共通端子１２とＦＰＧＡ１１３とを接続する（ステップＳ４３Ａ）。ステップＳ４３Ａでは、共通端子１２はＴＣ−ＯＵＴ端子として機能する。つまりユーザがシャッターボタン１３を押下するなどの動画撮影を開始するための操作を実施したとき、コントローラ１３０は、その操作を受け付けて以下の処理を行う。コントローラ１３０は、コントローラ１３０又はユーザが予め設定したＴＣ‐ＯＵＴ設定条件に基づき、発振器１１４及びＦＰＧＡ１１３を駆動させる。そしてコントローラ１３０は、ＦＰＧＡ１１３が出力するタイムコード信号を共通端子１２から出力する。
【００６５】
一方、ステップＳ４２Ｄで警告を行った後、所定の時間が経過すると、コントローラ１３０は、ステップＳ４３Ａと同様にスイッチ回路１１１をＯＮにする。このようにコントローラ１３０は、スイッチ回路１１１を制御して、共通端子１２とＦＰＧＡ１１３とを接続する（ステップＳ４３Ｂ）。ステップＳ４３Ｂでは、共通端子１２は、ＴＣ‐ＩＮ端子として機能する。つまりユーザがシャッターボタン１３を押下するなどの動画撮影を開始する操作を実施したとき、コントローラ１３０は、その操作を受け付けて以下の処理を行う。コントローラ１３０は、コントローラ１３０又はユーザが予め設定したＴＣ‐ＩＮ設定条件に基づき、発振器１１４及びＦＰＧＡ１１３を駆動させる。そしてコントローラ１３０は、共通端子１２に入力されたタイムコード信号を、ＦＰＧＡ１１３を介してコントローラ１３０に入力させる。
【００６６】
ステップＳ４４では、モードダイヤル１０が静止画の撮影モードに設定された場合である。ユーザが、シャッターボタン１３を押すなどの静止画撮影を開始する操作を実施したとき、ストロボが発光するためのトリガ信号を出力する回路（ストロボ回路１５２）は通電する。
【００６７】
［１−４．効果］
（１）本実施の形態のデジタルカメラ１００（撮像装置の一例）は、共通端子１２と、撮影モード設定部（モードダイヤル１０）と、機能設定部１４０とを備える。撮影モード設定部（モードダイヤル１０）は、第１の撮影モード（例えば動画の撮影モード）と第２の撮影モード（例えば静止画の撮影モード）とを含む複数の撮影モードから特定の撮影モードに設定可能とする。機能設定部１４０は、撮影モード設定部（モードダイヤル１０）が特定の撮影モードを第１の撮影モードに設定する場合、共通端子１２を使用して第１の機能を実現するように構成される。機能設定部１４０は、撮影モード設定部（モードダイヤル１０）が特定の撮影モードを第２の撮影モードに設定する場合、共通端子１２を使用して第２の機能を実現するように構成される。機能設定部１４０は、第１の撮影モードでは第２の機能を実現しない。機能設定部１４０は、第２の撮影モードでは第１の機能を実現しない。
【００６８】
つまり第１の撮影モードでは第２の機能が利用されず、第２の撮影モードでは第１の機能が利用されない。したがって、第１の機能と第２の機能とが同時に実現される必要は無い。本実施の形態では、第１の機能と第２の機能とを実現するために用いる端子を、共通の端子とする。
【００６９】
これにより本実施の形態では、複数の撮影モードから選択された特定の撮影モード（第１の撮影モード又は第２の撮影モード）のそれぞれのみに利用される機能を、共通端子を用いて実現できる。
【００７０】
具体的に説明すると、本実施の形態では、図５に示すように、第１の撮影モード（動画の撮影モード）では、第２の機能（例えばストロボの発光タイミングの出力機能）は利用されない。また第２の撮影モード（静止画の撮影モード）では、第１の機能（例えばタイムコード信号の入力及び出力の機能）は利用されない。そのため、共通端子１２を、複数の撮影モードから選択された特定の撮影モード（動画の撮影モード又は静止画の撮影モード）に応じて、ＴＣ‐ＩＮ端子若しくはＴＣ−ＯＵＴ端子、又はストロボシンクロ端子のいずれか一つに割り付けることができる。このようにデジタルカメラ１００が、排他的な関係にある複数の撮影モードを有し、ある撮影モードで利用される機能が別の撮影モードでは利用されていない場合、当該機能に使用される端子は、別の撮影モードにおいて他の機能に使用され得る。
【００７１】
従来、動画の撮影モードに設定される場合、ストロボ同期用のストロボシンクロ端子は活用されていなかった。本実施の形態では、このストロボシンクロ端子をＴＣ‐ＩＮ端子又はＴＣ−ＯＵＴ端子として活用できる。そのためタイムコード入出力用の専用端子を備える必要がなくなり、デジタルカメラ１００のサイズ及びデザインの自由を損なうことなく、省スペースで便利な機能を持たせることができる。
【００７２】
（２）また第１の撮影モードは動画の撮影モードであり、第２の撮影モードは静止画の撮影モードであってもよい。撮影モード設定部（モードダイヤル１０）が特定の撮影モードを動画の撮影モードに設定する場合、機能設定部１４０は、共通端子１２を動画の同期信号入力端子として機能させて第１の機能を実現する。撮影モード設定部（モードダイヤル１０）が特定の撮影モードを静止画の撮影モードに設定する場合、機能設定部１４０は、共通端子１２をトリガ信号出力端子として機能させて第２の機能を実現する。
【００７３】
（３）また本実施の形態では、撮影モード設定部（モードダイヤル１０）が特定の撮影モードを動画の撮影モードに設定した後であって、機能設定部１４０が、共通端子１２を動画の同期信号入力端子及び同期信号出力端子の少なくとも一方として機能させて第１の機能を実現する前に、ユーザによる第１の機能の設定に関する入力を受け付ける入力部（たとえばタッチパネル２０）をさらに備える。
【００７４】
具体的には、たとえば図４に示すように、ステップＳ４２（動画の撮影モードの設定）の後に、ステップＳ４２Ａ（ＴＣ回路への接続の設定）及びステップＳ４２Ｂ（ＴＣ−ＩＮ端子又はＴＣ−ＯＵＴ端子の選択）の少なくとも一方のステップが実行される。
【００７５】
これにより本実施の形態では、第１の機能を実現する回路（第１回路、つまりＴＣ回路１５１）が導通する前に、ユーザに第１の機能が実現されることを注意喚起できる。したがって、動画の撮影モードに設定されているにも関わらず、ユーザが共通端子１２にストロボを接続してしまうことを抑制することが出来る。又は共通端子１２にストロボが接続されているにもかかわらず、ユーザが誤って動画の撮影モードに設定してしまった場合に、ユーザが誤りを気づきやすくなる。
【００７６】
（４）また本実施の形態において、第１の機能の設定に関する入力には、共通端子１２を動画の同期信号入力端子（ＴＣ−ＩＮ端子）及び同期信号出力端子（ＴＣ−ＯＵＴ端子）のいずれに機能させるかの、ユーザによる選択を含む。つまり、本実施の形態では、ステップＳ４２の後に、ステップＳ４２Ｂ（ＴＣ−ＩＮ端子又はＴＣ−ＯＵＴ端子の選択）が実行される。
【００７７】
これにより本実施の形態では、デジタルカメラ１００がタイムコード信号を入力する側であるか、タイムコード信号を出力する側であるかをコントローラ１３０が判断できる。またユーザへ第１の機能が実現されることを注意喚起できるため、動画の撮影モードに設定されているにも関わらず、ユーザが共通端子１２にストロボを接続してしまうことを抑制することが出来る。又は共通端子１２にストロボが接続されているにもかかわらず、ユーザが誤って動画の撮影モードに設定してしまった場合に、ユーザが誤りを気づきやすくなる。
【００７８】
（５）また本実施の形態のデジタルカメラ１００は、撮影モード設定部（モードダイヤル１０）が特定の撮影モードを動画の撮影モードに設定した後であって、機能設定部１４０が、共通端子１２を動画の同期信号入力端子及び同期信号出力端子の一方として機能させて第１の機能を実現する前に、ユーザへの警告を報知する報知部（たとえば表示部１９０）をさらに備える。つまり図４のステップＳ４２の後に、ステップＳ４２Ｃ又はステップＳ４２Ｄを実行する。警告の内容は、ユーザへ第１の機能が実現されることを注意喚起できる内容であればよい。第１の機能が実現されることを注意喚起する内容とは、たとえば、「ＴＣジェネレータ又は他のカメラを接続して下さい」などの内容である。また、第１の機能が実現されることを注意喚起する内容には、第２の機能が実現されないことを注意喚起する内容を含む。具体的には、たとえば「ストロボを接続しないで下さい」のような内容でもよい。
【００７９】
これにより本実施の形態では、動画の撮影モードに設定されているにも関わらず、ユーザが共通端子１２にストロボを接続してしまうことを抑制することが出来る。又は共通端子１２にストロボが接続されているにもかかわらず、ユーザが誤って動画の撮影モードに設定してしまった場合に、ユーザが誤りを気づきやすくなる。
【００８０】
（６）また本実施の形態において、機能設定部１４０は、第１回路（たとえばＴＣ回路１５１）と、第２回路（たとえばストロボ回路１５２）と、切り換え回路（たとえばスイッチ回路１１１）と、保護回路（たとえば第１保護回路１５３）と、を含む。第１回路（ＴＣ回路１５１）は、共通端子１２と接続され、第１の機能を実現する。第２回路（ストロボ回路１５２）は、共通端子１２と接続され、第２の機能を実現する。切り替え回路（スイッチ回路１１１）は、共通端子１２と第１回路（ＴＣ回路１５１）との接続のＯＮ／ＯＦＦ切り替えを行う。保護回路（第１保護回路１５３）は、共通端子１２と切り替え回路（スイッチ回路１１１）との間に接続される。
【００８１】
これにより本実施の形態では、動画の撮影モードに設定されているにもかかわらず共通端子１２にストロボが接続され、ストロボから大電流がスイッチ回路１１１側へ流れた場合も、スイッチ回路１１１の手前で保護回路によって過電流をグランドへ放出できる。
【００８２】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００８３】
上記の実施の形態では、本開示の撮像装置を交換レンズ式のデジタルカメラに適用した例を説明したが、本開示の撮像装置をレンズとボディが一体型のデジタルカメラに適用することもできる。
【００８４】
上記の実施の形態では、本開示の第１の機能はタイムコード入出力であるとして説明したが、これに限らない。例えば、第１の機能は、タイムコード入力のみ又はタイムコード出力のみでも良いし、ＧＥＮＬＯＣＫ（ＧＥＮＥＲＡＴＯＲ  ＬＯＣＫＩＮＧ）入出力でも良いし、ＧＥＮＬＯＣＫ入力のみ又はＧＥＮＬＯＣＫ出力のみでも良い。また本開示の同期信号入力端子はＧＥＮＬＯＣＫ入力端子であってもよく、同期信号入力端子はＧＥＮＬＯＣＫ出力端子でもよい。
【００８５】
また第１の機能を、マイクロフォンの音声信号の入力及び出力のいずれか一方としてもよい。この場合、共通端子１２にマイクロフォンが外付けされる。マイクロフォンは動画の撮影モードで利用されるが、静止画の撮影モードでは利用されない。したがって、マイクロフォンの端子は、静止画の撮影モードで利用されるストロボシンクロ端子と共通にすることができる。なお、撮像装置には、もともとマイクロフォンの端子が配置されていることが多い。しかしその場合も、ストロボシンクロ端子と併用することにより複数のマイクロフォンを接続することができ、ユーザの利便性が増す。
【００８６】
また、上記の実施の形態では、撮影モード設定部としてモードダイヤル１０を例に挙げたが、プッシュボタンでもよい。又は撮影モード設定部を、たとえば表示部１９０及びタッチパネル２０で実現してもよい。つまり表示部１９０に撮影モードのメニューを表示し、タッチパネル２０を用いて選択できるようにしてもよい。又は撮影モード設定部を、たとえば表示部１９０及びプッシュボタンで実現してもよい。
【産業上の利用可能性】
【００８７】
本開示の撮像装置は、複数の撮影モードから選択された撮影モードに応じて共通端子を用いた特定の機能を実現するする電子機器（ビデオカメラ、ＩＣレコーダ等）に適用できる。
【符号の説明】
【００８８】
１０    モードダイヤル（撮影モード設定部）
１２    共通端子
１３    シャッターボタン
１４    撮像素子
１５    マウント
１６    電気接点
１７    レンズ取り外しボタン
１８    ホットシュー
１９    電子ビューファインダー
２０    タッチパネル
１００    デジタルカメラ（撮像装置）
１０２    カメラボディ
１１０    切替処理部
１１２    ストロボＯＮ／ＯＦＦ‐ＳＷ回路
１１５    アナログ音声処理部
１２０    デジタル画像・音声処理部
１３０    コントローラ
１４０    機能設定部
１４３    ＣＭＯＳイメージセンサ
１５１    ＴＣ回路（第１回路）
１５２    ストロボ発光回路（第２回路）
１５３    第１保護回路（保護回路）
１５４    第２保護回路
１６０    外部記憶媒体
１８０    操作部
３０１    交換レンズ
３１９    ＯＩＳ駆動部
【図１Ａ】
2018164248.tif 000003
【図１Ｂ】
2018164248.tif 000004
【図２】
2018164248.tif 000005
【図３Ａ】
2018164248.tif 000006
【図３Ｂ】
2018164248.tif 000007
【図４】
2018164248.tif 000008
【図５】
2018164248.tif 000009